(57)【特許請求の範囲】
【請求項１】
投入された遊技媒体を検出する遊技媒体検出部を備えた遊技機において、
前記遊技媒体検出部は、
前記投入された遊技媒体が通過する流路と、
前記流路を通過する遊技媒体を検出する検出手段と、
前記流路及び前記検出手段を有するベース部材に対して開閉可能に変位するとともに、当該ベース部材との間に前記流路を形成するカバー部材と、を備え、
前記検出手段は、
前記流路を通過する遊技媒体の通過と前記カバー部材が前記ベース部材に対して開放した状態を検出する
ことを特徴とする遊技機。
【請求項２】
前記検出手段は、
前記流路を通過する遊技媒体が接触することで変位する可動部材と、
前記可動部材の変位を検知するための変位検知センサと、を備え、
前記可動部材は、
前記流路を通過する遊技媒体が接触していないときには、前記変位検知センサの検知状態が第一の状態となるように構成され、
前記流路を通過する遊技媒体が接触しているとき又は前記カバー部材が開放した状態のときには、前記変位検知センサの検知状態が第二の状態となるように構成される
ことを特徴とする請求項１記載の遊技機。
【請求項３】
前記可動部材は、
前記流路を通過する遊技媒体の接触により第一の方向に変位し、
前記カバー部材の開放により前記第一の方向とは異なる第二の方向に変位する
ことを特徴とする請求項２記載の遊技機。
【請求項４】
前記検出手段から出力された検知信号の検知時間が所定期間以上継続した場合には、遊技媒体の詰まり又はカバー部材の開放のいずれが発生したかにかかわらず所定の情報を出力する情報出力手段を備えた
ことを特徴とする請求項１〜３のいずれか一項に記載の遊技機。
【請求項５】
前記検出手段は、
前記流路内に遊技媒体が投入される遊技媒体投入口の近傍に設けられた
ことを特徴とする請求項１〜４のいずれか一項に記載の遊技機。
【発明の詳細な説明】
【技術分野】
【０００１】
本発明は、遊技機に関する。
【背景技術】
【０００２】
遊技用の遊技媒体（メダル）を用いて遊技を行う遊技機としてスロットマシンが知られている。
スロットマシンは、メダル投入口に投入されたメダルを流下させるメダル流路を有し、正規の大きさのメダルをスロットマシンの内部に誘導するメダルセレクタを備えている。
この種のメダルセレクタには、メダル投入口から投入されたメダルを検知するセンサ等の検出手段が設けられており、メダルを検知する他、不正行為に用いられる不正器具を検出することができるようになっている（例えば、特許文献１参照。）。
【先行技術文献】
【特許文献】
【０００３】
【特許文献１】特開２００８−０７９６９９号公報
【発明の概要】
【発明が解決しようとする課題】
【０００４】
しかしながら、従来の遊技機については、改良の余地があった。
【課題を解決するための手段】
【０００５】
上記目的を達成するため、本発明の遊技機は、投入された遊技媒体を検出する遊技媒体検出部を備えた遊技機において、遊技媒体検出部は、投入された遊技媒体が通過する流路と、流路を通過する遊技媒体を検出する検出手段と、流路及び検出手段を有するベース部材に対して開閉可能に変位するとともに、当該ベース部材との間に前記流路を形成するカバー部材と、を備え、検出手段は、流路を通過する遊技媒体の通過とカバー部材がベース部材に対して開放した状態を検出する構成としてある。
【図面の簡単な説明】
【０００６】
【図１】スロットマシンの構成を示す正面図である。
【図２】スロットマシンの内部構成を示す斜視図である。
【図３】（ａ）はメダルセレクタの全体斜視図であり、（ｂ）は付勢部材の係合状態を説明するための図である。
【図４】メダルセレクタを示す分解斜視図であり、（ａ）はベース部材、（ｂ）はカバー部材のそれぞれ内部構成を示す図である。
【図５】メダルセレクタのベース部材を示す図であって、（ａ）は正面図、（ｂ）は背面図である。
【図６】リブの形状を説明するための図である。
【図７】メダルが出口センサの被接触部に接触する前の状態を示す図であり、（ａ）はベース部材の正面図、（ｂ）は図５（ａ）のＡ−Ａ断面図である。
【図８】メダルが出口センサの被接触部に接触して、可動部材が変位した状態を示す図であり、（ａ）はベース部材の正面図、（ｂ）は図５（ａ）のＡ−Ａ断面図である。
【図９】メダルが被接触部を通過し終わって、可動部材が初期位置に復帰しようとする状態を示す図であり、（ａ）はベース部材の正面図、（ｂ）は図５（ａ）のＡ−Ａ断面図である。
【図１０】メダルが被接触部を通過し終わって、可動部材が初期位置に復帰した状態を示す図であり、（ａ）はベース部材の正面図、（ｂ）は図５（ａ）のＡ−Ａ断面図である。
【図１１】出口センサと投入検知センサの位置関係を説明するための図である。
【図１２】出口センサと投入検知センサから出力された検知信号の波形を示す波形図を示す図であり、（ａ）は正規メダルが連続で通過した場合を示しており、（ｂ）は異常が発生した場合を示している。
【図１３】メダルが出口センサの被接触部に接触する前の状態のリンク機構の要部拡大図である。
【図１４】メダルが出口センサの被接触部に接触して、可動部材が変位した状態のリンク機構の要部拡大図である。
【図１５】メダルが被接触部を通過し終わって、可動部材が初期位置に復帰しようとする状態のリンク機構の要部拡大図である。
【図１６】メダルが被接触部を通過し終わって、可動部材が初期位置に復帰した状態のリンク機構の要部拡大図である。
【図１７】メダルセレクタの正面図である。
【図１８】カバー部材が開放していない状態の図１７のＣ−Ｃ断面図であって、メダル流路にメダルが無い状態を示す図である。
【図１９】カバー部材が開放していない状態の図１７のＣ−Ｃ断面図であって、メダルの通過により投入口側検知センサの踏み板部が変位した状態を示す図である。
【図２０】カバー部材が開放した状態の図１７のＣ−Ｃ断面図であって、投入口側検知センサの踏み板部が変位した状態を示す図である。
【図２１】小径メダルがガイド部材に到達した状態を示す図であり、（ａ）は図５（ａ）のＢ−Ｂ断面図、（ｂ）はガイド部材の要部拡大図である。
【図２２】ガイド部材が小径メダルによって押し上げられた状態を示す図であり、（ａ）は図５（ａ）のＢ−Ｂ断面図、（ｂ）はガイド部材の要部拡大図である。
【発明を実施するための形態】
【０００７】
以下、本発明に係る遊技機の好ましい実施形態について、各図を参照して説明する。
【０００８】
スロットマシン１は、本発明に係る遊技機の一実施形態であり、通常のスロットマシンと同様、前面に開口部を有する筐体１ｂと、開口部を開閉可能に覆う前扉１ａとを備えている。
図１及び図２に示すように、前扉１ａは、リール４１ａ〜４１ｃそれぞれに表された連続する３つの図柄を機外から識別可能に構成されるとともに、遊技者により操作される複数の操作手段（２，２ａ，３，５）を備え、筐体１ｂは、リール４１ａ〜４１ｃを回転駆動させるドラムユニット４、メダルの払い出しを行うメダル払出装置６などの複数の装置、コンピュータとして動作する主制御部７、副制御部８などを備えている。
このようなスロットマシン１は、以下のようなスロットマシン遊技を実行可能に構成されている。
【０００９】
ゲームの開始にあたり、掛け数の設定を行う。
掛け数の設定は、メダルをメダル投入口２から投入することにより行うことができ、投入されたメダルは、前扉１ａ裏面に設けられたメダルセレクタ１０により検出され、所定数（例えば、３枚）のメダルの検知によりゲーム開始可能な状態となる。
また、ベットボタン２ａなどを操作することで、掛け数を設定することもできる。ベットボタン２ａの押下操作により、内部的に記憶したクレジットメダルからデータ形式のメダルが操作に応じて投入され、所定数（例えば、３枚）のメダルの投入により、ゲーム開始可能な状態となる。
【００１０】
このゲーム開始可能な状態で、スタートレバー３が操作されると、ゲームが開始され、図柄の表されたリール４１ａ〜４１ｃが変動を開始するとともに、主制御部７が、複数の抽選対象の中から今回ゲームの抽選結果を決定する当選役抽選処理が実行される。
変動開始後、各リール４１が定速回転に達すると、停止ボタン５ａ〜５ｃが押下操作可能な状態となる。それぞれの停止ボタン５が操作されると、その操作タイミングと当選役抽選処理の抽選結果とに応じた図柄の組合せで停止するように、各リール４１が停止制御される。
【００１１】
各リール４１が停止すると、各リール４１それぞれに表された上下方向に連続する３つの図柄の停止態様に基づいて入賞の有無が判定され、判定の結果、図柄の組合せに応じた特典が付与される。
【００１２】
このようなスロットマシン遊技を実現可能なスロットマシン１においては、メダルセレクタ１０が、以下に説明するような特徴的な構成を備えている。
以下、メダルセレクタ１０の構成について、各図を参照して説明する。
【００１３】
［メダルセレクタの全体構成］
メダルセレクタ１０は、本発明における遊技媒体検出部の一例として動作し、図３（ａ）に示すように、ベース部材１０ａとカバー部材１０ｂとを重ねた態様で構成される。
【００１４】
ベース部材１０ａは、図４に示すように、メダル投入口２から投入されたメダルＭを起立状態で転動しながら通過させるメダル流路１１と、スタートレバー３の操作にもとづいてメダルセレクタ１０の裏側に設けられたソレノイド１２が駆動することでメダル流路１１からメダルＭを排除し、当該メダルＭをメダル払出口６ａに誘導するブロッカー１３と、メダル流路１１を通過するメダルＭを検出する検出手段（投入口側検知センサ１４、投入検知センサ１５、監視センサ１６、出口センサ１７）と、を備えている。
【００１５】
メダル流路１１は、図４に示すように、メダル投入口２（メダル入口１９）の直下に設けられた垂直流路１１１と、この垂直流路１１１から図中（図４（ａ））右下がりに傾斜した傾斜流路１１２によって構成されており、メダル流路１１を転動するメダルＭの円形表面に対向する部分である壁面部１１ａと、壁面部１１ａのうちメダルＭの円形表面に対向する面である壁面部表面１１ｂと、メダル流路１１を転動するメダルＭの円周面（円周部）に対向する部分である端面部１１ｃを有している。
【００１６】
また、メダル流路１１には、図６に示すように、メダルＭが通過する方向に沿って、メダルＭとの接触抵抗を低減するためのリブ１１ｆが複数形成されている。
メダル流路１１の傾斜流路１１２に形成されたリブ１１ｆには、エッジが形成されないように曲面状又は斜面状に面取りが施されている。
リブ１１ｆに面取りを施した理由は、次のとおりである。
【００１７】
メダルセレクタ１０は、例えば、クレジットが上限に達しているときに投入されたメダルＭや遊技に使用可能な正規の大きさのメダル（以下、正規メダルという）よりも小径のメダル（以下、小径メダルという）等の非正規メダルが投入された場合、ブロッカー１３の開放動作や後述するガイド部材２２の構造により、これらのメダルＭをメダル流路１１から下方に落下させて、遊技者に返却するようになっている。
このように、メダルＭがメダル流路１１から下方に落下するとき、リブ１１ｆに面取りを施していない場合には、メダルＭの縁がリブ１１ｆのエッジに引っ掛かってしまい、円滑に下方へ誘導されていないことがある。このような場合、後続のメダルＭが流下してくると、メダル流路１１内でメダル詰まりが発生してしまうことがある。
そこで、リブ１１ｆに面取りを施すことで、メダルＭの縁がリブ１１ｆに引っ掛かるのを回避し、メダル流路１１から下方に円滑に誘導させることで、メダル流路１１内でメダル詰まりが発生することを防止するようになっている。なお、面取りを施す位置としては、リブ１１ｆの上面のエッジに施すことが好ましい。
なお、リブ１１ｆの形状や本数、あるいは、リブ１１ｆを形成する範囲は、メダルＭとの接触面積を減少させてメダルＭの通過を妨げることがなければ、特に限定されるものではない。
【００１８】
投入口側検知センサ１４、投入検知センサ１５、監視センサ１６、出口センサ１７は、メダル流路１１において物体（メダルＭや不正器具）を検知すると、検知したことを示す検知信号を主制御部７へ出力する。
この出力された検知信号は、主制御部７によって各センサ１４〜１７がＯＮ又はＯＦＦのいずれの状態であるか特定され、各センサ１４〜１７のＯＮ又はＯＦＦの状態にもとづいてメダルＭの通過、又は、不正行為等の異常の発生が判断される。
【００１９】
カバー部材１０ｂは、ベース部材１０ａの正面側に重ねられるとともに、ベース部材１０ａに対して開放可能に変位するようになっている。
カバー部材１０ｂの内側の面（ベース部材１０ａと対向する面）のうちメダル流路１１の垂直流路１１１を覆う部分には、図４（ｂ）に示すように、後述する投入口側検知センサ１４の可動部材１４１と当接可能な形状が施されている。
具体的には、投入口側検知センサ１４の可動部材１４１の端部は凸設されており、この端部を収容可能な凹部１０４が形成されている。
【００２０】
また、カバー部材１０ｂは、ベース部材１０ａの上部（図３（ａ）において右上部）に設けられた軸部材１０１をカバー部材１０ｂに設けられた軸支部１０２が軸支することにより、ベース部材１０ａに取り付けられた状態で軸部材１０１の中心軸を中心に、斜め上方に回動できるようになっている。
【００２１】
軸部材１０１には、ねじりばね等の付勢部材１０３が設けられており、カバー部材１０ｂが、常時、ベース部材１０ａ側に付勢されて、カバー部材１０ｂが閉じた状態を維持するようになっている。
また、付勢部材１０３は、図３（ａ）に示すように、軸部材１０１の中央部分から延設されて、略Ｖ字状に形成された端部１０３ａを有している。
この端部１０３ａは、ベース部材１０ａにカバー部材１０ｂが取り付けられた状態において、カバー部材１０ｂの表面に凹設された係合用凹部１０５に係合するようになっている。具体的には、図３（ｂ）に示すように、端部１０３ａの先端部分が係合用凹部１０５の内方に係入するとともに、端部１０３ａと係合用凹部１０５の内面が沿うように係合する。
これにより、付勢部材１０３の付勢によってカバー部材１０ｂをベース部材１０ａ側に押圧するのに加えて、端部１０３ａと係合用凹部１０５が係合することにより、カバー部材１０ｂがベース部材１０ａから簡単に外れてしまうことを防ぐことができる。
【００２２】
［メダルセレクタの詳細構成］
次に、メダルセレクタ１０の詳細な構成について説明する。
メダルセレクタ１０は、次に挙げる特徴を備えている。ここでは、これらの特徴について、以下順に説明する。
（ａ）出口センサ
（ｂ）リンク機構
（ｃ）監視センサ
（ｄ）投入口側検知センサ
（ｅ）ガイド部材
【００２３】
（ａ）出口センサ
（ａ−１）構造及び動作
出口センサ１７は、メダル流路１１を通過するメダルＭを検知する。
出口センサ１７は、図４等に示すように、メダル流路１１において、ブロッカー１３よりも下流側に設けられており、メダル流路１１を通過するメダルＭがメダルセレクタ１０の外部に接続されたメダル誘導通路２０に進出しようとするときに通り抜けるメダル出口１８の近傍に設けられている。
【００２４】
出口センサ１７は、図５に示すように、メダル流路１１を通過するメダルＭが接触することで変位する可動部材１７１と、この可動部材１７１の変位を検知する変位検知センサ１７２とを有している。
可動部材１７１は、メダル流路１１を通過するメダルＭの円周面が接触し、このメダルＭからの押圧を受けることで変位する被接触部１７１ａと、ベース部材１０ａに設けられた軸支部１７１ｂと、被接触部１７１ａの変位に伴って変位する被検知部１７１ｃとを有している。
変位検知センサ１７２は、可動部材１７１の被検知部１７１ｃの変位を検知すると、メダルＭを検知したことを示す検知信号を主制御部７へ送る。
なお、変位検知センサ１７２には、例えば、フォトセンサなど、可動部材１７１の被検知部１７１ｃの変位を検知可能なセンサやスイッチ等を用いることができる。
【００２５】
可動部材１７１は、メダル流路１１における次の箇所に設けられる。
可動部材１７１のうち軸支部１７１ｂと被検知部１７１ｃは、メダル流路１１の壁面部１１ａの裏側に位置している（図５（ｂ）参照）。
これに対し、被接触部１７１ａは、次の箇所に設けられる。
被接触部１７１ａは、軸支部１７１ｂから突設された棒状の部材であって、軸支部１７１ｂが設けられている壁面部１１ａの裏側から壁面部１１ａの表側に向かって設けられている。
つまり、被接触部１７１ａは、メダルが通過する方向ＭＲに沿う方向と交差する方向に沿うように設けられている。
また、被接触部１７１ａの先端部分が、メダル流路１１の端面部１１ｃからメダル流路１１に対して進退可能な位置に設けられている。
【００２６】
このような位置及び向きで被接触部１７１ａを設けることにより、メダル流路１１を通過するメダルＭの円周面が被接触部１７１ａに接触する。
このとき、被接触部１７１ａは、メダルＭの円周面の押圧により、軸支部１７１ｂの中心軸を中心として回動して、端面部１１ｃから突出した位置（初期位置）から端面部１１ｃに向かって押し下げられるように移動する。この軸支部１７１ｂの中心軸線は、メダルの通過方向ＭＲに沿う方向と平行な方向であり、被接触部１７１ａは、メダルの通過方向ＭＲと平行な軸線回りに回動するようになっている。
また、メダルＭが被接触部１７１ａに接触していないときに、被接触部１７１ａが初期位置に位置するように、軸支部１７１ｂには、ねじりばね等の付勢部材１７３が設けられている。
【００２７】
次に、図７〜図１０を参照して、出口センサ１７の動作について説明する。
図７〜図１０は、１枚の正規メダルがメダル流路１１を通過する際のメダルＭの位置に対応した出口センサ１７の動作態様を示している。
メダル流路１１を通過するメダルＭが被接触部１７１ａに接触する前は、図７（ａ）に示すように、出口センサ１７の被接触部１７１ａは、端面部１１ｃからメダル流路１１内に向かって突出した状態となる初期位置に位置する。
この状態では、図７（ｂ）に示すように、被検知部１７１ｃは変位検知センサ１７２の発光部１７２ａと受光部１７２ｂとの間に位置し、受光部１７２ｂへの入光を遮っているため、変位検知センサ１７２からはＯＦＦ状態（物体（メダル）非検知）を示す検知信号が出力されている。
【００２８】
メダルＭが転動して、メダルＭが被接触部１７１ａに接触したときには、図８（ａ）に示すように、被接触部１７１ａは、初期位置から端面部１１ｃに向かって移動することで、端面部１１ｃに凹設された出口センサ用凹部１１ｄに収納される。
この状態では、図８（ｂ）に示すように、被接触部１７１ａの変位に伴って被検知部１７１ｃも変位し、被検知部１７１ｃが発光部１７２ａと受光部１７２ｂとの間から退避するため、受光部１７２ｂへ入光し、変位検知センサ１７２からはＯＮ状態（物体（メダル）検知）を示す検知信号が出力される。
【００２９】
さらにメダルＭが転動して、メダルＭが被接触部１７１ａを通過し終わったときには、被接触部１７１ａにメダルＭが接触しなくなり、被接触部１７１ａは、このメダルＭからの押圧を受けなくなると、付勢部材１７３による付勢により軸支部１７１ｂの中心軸を中心として回動して、端面部１１ｃからメダル流路１１内に向かって突出する方向に移動して（図９（ａ）参照）、初期位置に復帰する（図１０（ａ）参照）。
この状態では、図１０（ｂ）に示すように、被検知部１７１ｃは発光部１７２ａと受光部１７２ｂとの間に移動して、受光部１７２ｂへの入光を遮っているため、変位検知センサ１７２からはＯＦＦ状態（物体（メダル）非検知）を示す検知信号が出力される。
このように、出口センサ１７の可動部材１７１（被接触部１７１ａ）は、メダル流路１１を通過するメダルＭの円周面の接触により、メダルＭが通過する方向ＭＲと異なる方向（メダルＭが通過する方向ＭＲに沿わない方向）に押し下げられて移動し、メダルＭの円周面と接触しなくなると、初期位置に移動するようになっている。
【００３０】
出口センサ１７（変位検知センサ１７２）は、ＯＦＦ状態からＯＮ状態へ遷移する検知信号を主制御部７へ出力すると、主制御部７によってメダルＭが出口センサ１７を通過したと判断することができる。
このとき、出口センサ１７がメダルＭを検知する時間よりも若干長い時間を閾値として設定しておき、出口センサ１７から送られてきた検知信号のＯＮ時間と閾値とを比較する。そして、ＯＮ時間が閾値よりも短いときには、主制御部７は、メダルが通過したと判断することができる。
【００３１】
一方、ＯＮ時間が閾値よりも長いときには、主制御部７は、出口センサ１７におけるメダル詰まりや不正器具の挿入による異常が発生したものと判断することができる。
ここで、不正器具とは、例えば、薄板状や針金状のものがあり、先端にＬＥＤが取り付けられたものがある。このような不正器具は、メダル投入口２から挿入され、投入検知センサ１５付近でＬＥＤを点滅させて、クレジットの枚数を不正に引き上げるのに用いられるので、出口センサ１７や投入検知センサ１５付近に所定時間滞在することになる。
そのため、出口センサ１７は、その間、ＯＮ状態となるため、出力された検知信号のＯＮ時間が所定時間以上継続しているときには、主制御部７は、メダルセレクタ１０において異常が発生したものと判断できる。
【００３２】
また、メダルセレクタ１０で異常が発生したと判断されたときには、主制御部７によって所定の情報が出力される。
例えば、異常が発生したことを示す信号をスロットマシン１の外部へ出力する。この信号を受信した装置（遊技に関する情報を集計管理する遊技場管理装置など）は、その信号にもとづいて、異常が発生したことを示す所定の報知（例えば、遊技場管理装置の表示部への報知、店員が所持するインカムへの報知）を実行する。この報知を認識した遊技場の店員は、その異常に対して適切な措置を講ずることができる。
また、異常が発生したことを示す信号が主制御部７から副制御部８へ送られる。これにより、当該スロットマシン１において警報音を出力させたり、液晶表面器にエラー表示をさせたりするなどして、異常が発生したことを報知する。この報知を認識した遊技場の店員は、その異常に対して適切な措置を講ずることができる。
さらに、異常が発生したと判断されたときには、遊技の進行を停止することができる。これにより、不正器具によるその後の不正なクレジットの引き上げを阻止することができ、遊技場での損害を抑えることができる。
【００３３】
（ａ−２）出口センサの特徴
出口センサ１７は、（ａ−１）で説明した構造を備えるとともに、（ａ−１）で説明したように動作するが、これら以外にも、様々な特徴を備えている。
ここでは、次の事項について説明する。
（ａ−２１）被接触部１７１ａの外形
（ａ−２２）出口センサ１７と投入検知センサ１５の配置位置と、連続で通過するメダルの検知と不正検出
【００３４】
（ａ−２１）被接触部１７１ａの外形
可動部材１７１の被接触部１７１ａは、図１１に示すように、複数のメダルＭが前後に連なってメダル流路１１を通過するときに、先行するメダル（以下、先行メダルという）と後続するメダル（以下、後続メダルという）が互いに接した状態において、メダル流路１１の端面部１１ｃと先行メダルの円周面と後続メダルの円周面によって形成される略三角形状の空間Ｇ内に収まる外形からなっている。
被接触部１７１ａをこのような外形とすることで、被接触部１７１ａを先行メダルが通過し終わった後、被接触部１７１ａに後続メダルが到達するまでの間に、被接触部１７１ａは、空間Ｇ内に位置するとともに、必ず、初期位置に復帰する。すなわち、１枚のメダルが出口センサ１７（被接触部１７１ａ）を通過し終わった後、被接触部１７１ａは、少なくとも変位検知センサ１７２によって検知されない位置に位置することになる。
【００３５】
ところで、本発明を創作するよりも前のメダルセレクタを備えたスロットマシンにおいては、次のような問題があった。
例えば、出口センサ１７の被接触部の構造として、メダル流路１１を通過するメダルＭの接触により被接触部がメダルの通過方向ＭＲに沿って倒れ込むように変位する踏み板式の構造のものがある。
このような踏み板式の構造の場合には、メダルＭが通過しながら被接触部を押圧することで、被接触部が倒れ込むように変位するため、メダルＭが連続してメダル流路１１を通過する場合には、先行メダルが被接触部を通過し終わった後、後続メダルが被接触部に到達するまでに、メダルＭの通過方向ＭＲに沿って倒れ込んだ被接触部が戻り切れずに、この倒れ込んだ状態のまま、後続メダルも被接触部を通過してしまうことがあった。そのため、通過するメダルを個々に区別して検知することができないといった問題があった。
【００３６】
これに対し、本実施形態に係る出口センサ１７の被接触部１７１ａは、既述したようにメダルＭの円周面の接触によって端面部１１ｃから突出する初期位置から押し下げる方向（メダルＭの通過方向ＭＲに沿わない方向）に移動するとともに、被接触部１７１ａが空間Ｇ内に収まる外形で形成されているため、連続でメダル流路１１をメダルＭが通過する場合でも、各メダルＭの通過ごとに、確実に初期位置に復帰する。これにより、出口センサ１７は、連続して通過するメダルＭを個々に検出することができ、上記のような問題を解決することができるようになっている。
【００３７】
（ａ−２２）出口センサ１７と投入検知センサ１５の配置位置と、連続で通過するメダルの検知と不正検出
出口センサ１７と投入検知センサ１５は、図１１に示すように、メダル流路１１において両方が空間Ｇ内に収まるような位置関係で配置されている。
【００３８】
投入検知センサ１５は、出口センサ１７よりもメダル流路１１の上流側に設けられており、メダル流路１１を通過するメダルＭを検知する。
具体的には、投入検知センサ１５は、光学式のセンサであり、メダル流路１１を挟むようにして設けられた発光部と受光部によって構成され、発光部から発光された光がメダルによって遮断又は通光されることでメダルの検知を行う。
このような、位置関係で出口センサ１７と投入検知センサ１５を配置することにより、出口センサ１７と投入検知センサ１５は、次のようにメダルを検知する。
【００３９】
ここでは、出口センサ１７と投入検知センサ１５の二つのセンサのＯＮ状態（メダル検知）とＯＦＦ状態（メダル非検知）の遷移にもとづいて、メダル流路１１を連続して通過する正規メダルを検知する場合について説明する。
例えば、主制御部７が入力した検知信号が、図１２（ａ）に示すような波形であったとする。この場合、出口センサ１７と投入検知センサ１５におけるＯＮ状態とＯＦＦ状態との遷移は次のようになる。
【００４０】
メダル投入口２から正規メダルが連続投入された場合、まず、先行メダルが投入検知センサ１５によって検知されて、投入検知センサ１５がＯＮ状態となる（図１２（ａ）のＡ点）。
先行メダルが転動すると、先行メダルの円周面が出口センサ１７の被接触部１７１ａに接触して被接触部１７１ａを押圧し、出口センサ１７が先行メダルを検知してＯＮ状態となる（図１２（ａ）のＢ点）。
そして、先行メダルが転動して投入検知センサ１５を通過し終わり、投入検知センサ１５が先行メダルを検知しなくなると、投入検知センサ１５がＯＦＦ状態となる（図１２（ａ）のＣ点）。
さらに、先行メダルが転動して出口センサ１７を通過し終わり、出口センサ１７が先行メダルを検知しなくなると、出口センサ１７がＯＦＦ状態となる（図１２（ａ）のＤ点）。このとき、図１１に示すように、出口センサ１７と投入検知センサ１５が空間Ｇ内に収まることで、出口センサ１７と投入検知センサ１５の両方がＯＦＦ状態となる（図１２（ａ）のＤ−Ｅ間）。
その後、後続メダルが転動して、後続メダルが投入検知センサ１５によって検知されて、投入検知センサ１５がＯＮ状態となり（図１２（ａ）のＥ点）、以降、後続メダルも同様に通過に応じて各センサで検知される（図１２（ａ）のＦ点〜Ｈ点）。
【００４１】
このように、メダル流路１１を連続して通過する正規メダルを検知する場合には、出口センサ１７と投入検知センサ１５の検知状態の遷移は、定められた遷移となるため、この定められた遷移と出口センサ１７と投入検知センサ１５で検知した状態の遷移が異なる場合には、異常と判断することができる。
【００４２】
特に、本実施形態のメダルセレクタ１０においては、出口センサ１７と投入検知センサ１５の両方が空間Ｇに収まるような位置関係となるように配置されているため、複数のメダルＭが前後に連なってメダル流路１１を通過するとき、一枚のメダルＭが通過し終わったときに、必ず、出口センサ１７と投入検知センサ１５の両方のセンサがＯＦＦ状態となる期間（図１２（ａ）のＤ−Ｅ間）が存在する。
これにより、出口センサ１７と投入検知センサ１５の両方がＯＦＦ状態となる期間が存在する場合は、主制御部７によりメダルＭの通過と判断することができる。
一方、図１２（ｂ）に示す波形のように、出口センサ１７と投入検知センサ１５の両方がＯＦＦ状態となる期間が存在しない場合は、主制御部７によりメダル詰まり又は既述したような不正器具の挿入による異常と判断することができる。
このように、本実施形態のメダルセレクタ１０は、メダル流路１１を前後に連なって通過する複数のメダルＭを個々に確実にカウントすることができる。
【００４３】
（ｂ）リンク機構
リンク機構２１は、図１３に示すように、出口センサ１７よりもメダル流路１１の下流側に設けられ、出口センサ１７の可動部材１７１（被接触部１７１ａ）の動作と連動する部材である。
具体的には、リンク機構２１は、ベース部材１０ａに設けられた軸支部２１１を中心に回動する第一部材２１２と第二部材２１３を備えており、第一部材２１２は、出口センサ１７の被接触部１７１ａと連動する位置に設けられている。
軸部材２１１の中心軸線は、起立状態で通過するメダルＭの厚み方向と平行な方向であり、第一部材２１２と第二部材２１３は、メダルの厚み方向と平行な軸線回りに回動する。
【００４４】
次に、図１３〜図１６を参照して、リンク機構の動作について説明する。
図１３〜図１６は、メダル流路１１を通過するメダルＭの位置に対応したリンク機構の動作態様をそれぞれ示している。
第一部材２１２と第二部材２１３は、ねじりばね等の付勢部材によって付勢がされておらず、メダルＭが被接触部１７１ａに接触していないときは、それぞれの可動範囲内の任意の場所に位置する。
なお、ここでは、図１３に示すように、メダルＭが被接触部１７１ａに接触する前の状態で、第一部材２１２が被接触部１７１ａの下面に当接する位置にあり、第二部材２１３が端面部１１ｃに凹設されたリンク機構用凹部１１ｅに収納される位置にあるものとする。
【００４５】
そして、メダル流路１１を通過するメダルＭが被接触部１７１ａに接触したときには、図１４に示すように、第一部材２１２は、被接触部１７１ａに押し下げられて端面部１１ｃの方向に移動し、この第一部材２１２の変位に伴って第二部材２１３が反時計回りに回動して、端面部１１ｃから突出する位置に移動する。
さらに、メダル流路１１を通過するメダルＭが被接触部１７１ａを通過し終わったときには、第二部材２１３はメダルＭの円周面に押し下げられて端面部１１ｃの方向に移動し（図１５参照）、この第二部材２１３の変位に伴って第一部材２１２が時計回りに回動する。このとき、第一部材２１２は、被接触部１７１ａの下面に当接した状態で被接触部１７１ａを初期位置へ押し上げるように作動し、被接触部１７１ａは初期位置に復帰する（図１６参照）。
【００４６】
このように、リンク機構２１は、メダル流路１１を通過するメダルＭが出口センサ１７の可動部材１７１（被接触部１７１ａ）を通過し終わるときに、出口センサ１７の可動部材１７１（被接触部１７１ａ）が付勢により初期位置に戻ろうとするのを補助するように作動する。
これにより、複数のメダルＭが前後に連なってメダル流路１１を通過する場合、先行メダルが出口センサ１７の被接触部１７１ａを通過し終わった後、後続メダルが出口センサ１７の被接触部１７１ａを通過するまでに、被接触部１７１ａを端面部１１ｃからメダル流路１１内に向かって突出した初期位置に確実に復帰させることができる。
その結果、連続して複数のメダルＭがメダル流路１１を通過する場合、出口センサ１７で個々にメダルを検知することができる。
【００４７】
（ｃ）監視センサ
（ｃ−１）構造及び動作
監視センサ１６は、メダル流路１１を通過するメダルＭを検知する。
監視センサ１６は、図５に示すように、メダル流路１１を通過するメダルＭが接触することで変位する可動部材１６１と、この可動部材１６１の変位を検知する変位検知センサ１６２とを有している。
可動部材１６１は、メダル流路１１を通過するメダルＭが接触し、このメダルＭからの押圧を受けることで変位する踏み板状（フラップ状）の踏み板部１６１ａと、ベース部材に軸支される軸支部１６１ｂと、踏み板部１６１ａの変位に伴って変位する被検知部１６１ｃとを有している。
変位検知センサ１６２は、可動部材１６１の被検知部１６１ｃの変位を検知すると、メダルＭを検知したことを示す検知信号を出力して主制御部７へ送る。
【００４８】
可動部材１６１は、メダル流路１１における次の箇所に設けられている。
可動部材１６１のうちの軸支部１６１ｂと被検知部１６１ｃは、メダル流路１１の壁面部１１ａの裏側に位置している（図５（ｂ）参照）。
これに対し、踏み板部１６１ａは、全体的には、メダル流路１１の壁面部１１ａの表面に位置し、一部分が斜め前方へせり出すような状態で設けられる。
また、踏み板部１６１ａは、薄い板状の部材であって、この薄い板状の一の表面を流路側表面１６１ｄとすると、この流路側表面１６１ｄが壁面部１１ａからメダルＭの通過方向ＭＲに次第にせり出すように、段状に形成されている。
【００４９】
このような位置に踏み板部１６１ａを設けることにより、メダル流路１１を通過するメダルＭが踏み板部１６１ａの一部分に接触し、このメダルＭが通過しながらその一部分を押圧することで、当該踏み板部１６１ａが変位する。このとき、踏み板部１６１ａは、踏み板部１６１ａの裏面に形成された軸支部１６１ｂの中心軸を中心として回動し、踏み板部１６１ａの全体が、壁面部１１ａに凹設された監視センサ用凹部（非図示）に収納される。
この軸支部１６１ｂの中心軸を中心として踏み板部１６１ａが回動して変位することにより、被検知部１６１ｃも変位する。この被検知部１６１ｃの変位を検知した変位検知センサ１６２は、メダルＭを検知したことを示す検知信号を出力する。
また、可動部材１６１は、踏み板部１６１ａにメダルＭが接触しなくなり、このメダルＭからの押圧を受けなくなると、ねじりばね等の付勢部材１６３による付勢により軸支部１６１ｂの中心軸を中心として回動し、踏み板部１６１ａの一部が壁面部１１ａから斜め前方にせり出した状態に復帰する。
なお、変位検知センサ１６２には、例えば、フォトセンサなど、可動部材１６１の被検知部１６１ｃの変位を検知可能なセンサやスイッチ等を用いることができる。
【００５０】
（ｃ−２）監視センサの特徴
監視センサ１６は、（ｃ−１）で説明した構造を備えるとともに、（ｃ−１）で説明したように動作するが、これら以外にも、様々な特徴を備えている。
ここでは、次の事項について説明する。
（ｃ−２１）踏み板部１６１ａの外形と不正検出
（ｃ−２２）踏み板部１６１ａと投入検知センサ１５との位置関係と不正検出
【００５１】
（ｃ−２１）踏み板部１６１ａの外形と不正検出
踏み板部１６１ａのうちメダルＭの通過方向ＭＲに直交する方向に沿う方向の長さが、壁面部１１ａのうちメダルＭの通過方向ＭＲに直交する方向に沿う方向の長さとほぼ同じ長さで形成されている（図５（ａ）参照）。
このように、踏み板部１６１ａの長さを壁面部１１ａの長さとほぼ同じ長さとすることにより、メダル流路１１のうち監視センサ１６が位置する部分においては、いずれの箇所においても踏み板部１６１ａが存在するようになるので、監視センサ１６は、踏み板部１６１ａを通過する物体（メダルＭや不正器具）を確実に検知することができる。
【００５２】
例えば、既述したようなクレジットを不正に引き上げるための不正器具が、メダル投入口２から挿入されて、投入検知センサ１５付近に位置された場合でも、監視センサ１６は、この不正器具を確実に検知することができる。
具体的には、踏み板部１６１ａの長さを壁面部１１ａの長さとほぼ同じ長さとすることにより、あらゆる形状（メダルの形状に近似した形状、棒状、チューブ状等）に形成された不正器具が投入検知センサ１５に到達しようとするとき、踏み板部１６１ａに必ず接触することになる。
【００５３】
（ｃ−２２）踏み板部１６１ａと投入検知センサ１５との位置関係と不正検出
また、監視センサ１６は、投入検知センサ１５がメダルＭを検知している間、当該メダルＭを検知するような位置関係で配置されている。すなわち、投入検知センサ１５がメダルＭを検知している期間は、監視センサ１６の踏み板部１６１ａが押された状態（ＯＮ状態）となる。そのため、１枚の正規メダルＭが通過する場合には、監視センサ１６がＯＮ状態、投入検知センサ１５がＯＮ状態、投入検知センサ１５がＯＦＦ状態、監視センサ１６がＯＦＦ状態といった順序で検知状態が遷移する。
【００５４】
このような位置関係で監視センサ１６（踏み板部１６１ａ）と投入検知センサ１５を配置することで、正規メダルがメダル流路１１を通過する場合には、監視センサ１６と投入検知センサ１５の検知状態の遷移は、定められた順序で遷移するので、この定められた遷移と監視センサ１６と投入検知センサ１５で検知した状態遷移が異なる場合には、主制御部７によって不正器具の挿入等による異常と判断することができる。
また、クレジットを不正に引き上げるための不正器具は、投入検知センサ１５付近に所定時間滞在する。そのため、監視センサ１６から出力された検知信号のＯＮ時間が所定時間以上継続しているときには、主制御部７によって不正器具の挿入等による異常が発生したものと判断することができる。
【００５５】
（ｄ）投入口側検知センサ
（ｄ−１）構造及び動作
投入口側検知センサ１４は、本発明の検出手段の一例として機能するものであり、メダル投入口２から投入されたメダルＭの通過とカバー部材１０ｂの開放した状態を検出するためのセンサである。
投入口側検知センサ１４は、図５（ａ）等に示すように、メダル投入口２の近傍に設けられており、メダル流路１１の壁面部１１ａから突出させた可動部材１４１を備え、この可動部材１４１は、メダルＭが接触した際の押圧やカバー部材１０ｂの開放等により変位する踏み板部１４１ａを有している。
また、投入口側検知センサ１４は、ベース部材１０ａによって軸支される軸支部１４１ｂと、踏み板部１４１ａの変位に伴って変位する変位部材１４２と、この変位部材１４２が変位したことを検知すると検知信号を出力して主制御部７へ送る変位検知センサ１４３によって構成される（図５（ｂ）参照）。
【００５６】
なお、変位検知センサ１４３には、例えば、フォトセンサなど、可動部材１４１の変位部材１４２の変位を検知可能なセンサやスイッチ等を用いることができる。
また、メダルＭが接触していない状態において、踏み板部１４１ａがメダル流路１１の壁面部１１ａから斜め前方へ向かってせり出した状態を維持するように、軸支部１４１ｂには、ねじりばね等の付勢部材１４１ｃが設けられている。
【００５７】
踏み板部１４１ａは、壁面部１１ａから斜め方向にせり出す態様で、かつ、対向するカバー部材１０ｂの内面を押圧する状態で設けられている（図１８参照）。
具体的には、踏み板部１４１ａは、メダルの通過方向ＭＲに沿った辺の長さが、カバー部材１０ｂの内面に到達するのに十分な長さを有しており、カバー部材１０ｂが閉じた状態において、踏み板部１４１ａの端部がカバー部材１０ｂの内面（凹部１０４）を押圧している。
このような構造からなる踏み板部１４１ａを備える投入口側検知センサ１４は、次のように動作する。
【００５８】
図１８〜図２０を参照して投入口側検知センサ１４の動作について説明する。
カバー部材１０ｂが開放していない状態において、メダルＭが投入口側検知センサ１４の踏み板部１４１ａに接触していないときには、図１８に示すように、投入口側検知センサ１４の踏み板部１４１ａは、カバー部材１０ｂの内面（凹部１０４）に当接するとともに押圧した状態でメダル流路１１の垂直流路１１１を塞ぐように位置する（第一位置）。
この状態では、変位部材１４２は変位検知センサ１４３の発光部１４３ａと受光部１４３ｂとの間に位置し、受光部１４３ｂへの入光を遮っているため、変位検知センサ１４３からはＯＦＦ状態（物体（メダル）非検知：第一の状態）を示す検知信号が出力されている。
【００５９】
メダルＭが垂直流路１１１を降下して、メダルＭの円形表面が投入口側検知センサ１４の踏み板部１４１ａに接触したときには、図１９に示すように、踏み板部１４１ａはメダルＭから押圧を受けて、第一位置から壁面部１１ａに向かう方向（第一の方向）に変位して、メダル流路１１を開放する位置（第二位置）に移動する。
この状態では、踏み板部１４１ａの回動に伴って変位部材１４２も回動して変位し、変位部材１４２が発光部１４３ａと受光部１４３ｂとの間から退避するため、受光部１４３ｂへ入光し、変位検知センサ１４３からはＯＮ状態（物体（メダル）検知：第二の状態）を示す検知信号が出力される。
【００６０】
さらにメダルＭが垂直流路１１１を降下して、踏み板部１４１ａがメダルＭからの押圧を受けなくなると、可動部材１４１が付勢部材１４１ｃによる付勢により軸部材１４０の中心軸を中心として回動し、踏み板部１４１ａは壁面部１１ａからせり出した状態に復帰する。
この状態では、踏み板部１４１ａの回動に伴って変位部材１４２も変位検知センサ１４３の発光部１４３ａと受光部１４３ｂとの間に移動し、受光部１４３ｂへの入光を遮っているため、変位検知センサ１４３からはＯＦＦ状態（物体（メダル）非検知：第一の状態）を示す検知信号が出力される。
【００６１】
投入口側検知センサ１４（変位検知センサ１４３）は、ＯＦＦ状態からＯＮ状態へ遷移する検知信号を主制御部７へ出力すると、主制御部７によってメダルＭが投入口側検知センサ１４を通過したと判断することができる。
このとき、投入口側検知センサ１４がメダルＭを検知する時間よりも若干長い時間を閾値として設定しておき、投入口側検知センサ１４から送られてきた検知信号のＯＮ時間と閾値とを比較する。そして、ＯＮ時間が閾値よりも短いときには、主制御部７は、メダルが通過したと判断することができる。
【００６２】
一方、ＯＮ時間が閾値よりも長いときには、主制御部７は、投入口側検知センサ１４におけるメダル詰まりや既述したようなクレジットを不正に引き上げるための不正器具の挿入による異常が発生したと判断することができる。
具体的には、不正器具がメダル投入口２から挿入された場合には、不正器具が踏み板部１４１ａに接触し、さらに不正器具の挿入が進められると、可動部材１４１が押圧されて変位し、この変位に伴う変位部材１４２の変位を変位検知センサ１４３が検知する。そして、変位検知センサ１４３から出力されたＯＮ状態を示す検知信号の長さにもとづいて、主制御部７により異常が発生したと判断することができる。
【００６３】
ここで、投入口側検知センサ１４の踏み板部１４１ａは、メダルＭの接触によってメダルの通過方向ＭＲに沿って倒れ込むように変位する構造であるため、メダルＭが連続してメダル流路１１（垂直流路１１１）を通過する場合には、先行メダルが踏み板部１４１ａを通過し終わった後、後続メダルが踏み板部１４１ａに到達するまでに、メダルの通過方向ＭＲに沿って倒れ込んだ踏み板部１４１ａが戻り切らない状態のまま後続メダルも踏み板部１４１ａを通過してしまうことがある。そのため、投入口側検知センサ１４では、連続して通過するメダルＭを個々に検知できない場合がある。
しかしながら、投入口側検知センサ１４は、出口センサ１７や投入検知センサ１５とは異なり、通過するメダルＭをカウントするために用いられないので、連続して通過するメダルＭを個々に検知できない場合でも、メダルＭの通過枚数のカウントアップには支障をきたさない。
このような点から、本実施形態では、投入口側検知センサ１４における「メダルＭの通過の検知」とは、出口センサ１７や投入検知センサ１５のように通過するメダルＭを各々検知するという意味合いではなく、単にメダルＭが投入口側検知センサ１４を通過したか否かを検知するという意味合いで用いている。
【００６４】
また、メダルセレクタ１０に対する不正行為として、既述した不正行為の他に、例えば、メダル投入口２から針金やドライバー等の不正工具を挿入して、カバー部材１０ｂを無理にこじ開けることで、その隙間からメダルセレクタ１０の内部に配置された各センサや基板等に不正に電気信号を送り込むといった不正行為がある。
【００６５】
そこで、本実施形態におけるメダルセレクタ１０の投入口側検知センサ１４では、このようなこじ開けによる不正行為に対応した構成を備えている。
具体的には、カバー部材１０ｂが開放した状態では、図２０に示すように、カバー部材１０ｂが軸部材１０１の中心軸を中心に回動することに伴って、投入口側検知センサ１４の可動部材１４１（踏み板部１４１ａ）も変位する。
これは、踏み板部１４１ａの端部がカバー部材１０ｂの内面に当接した状態で、かつ、カバー部材１０ｂ側に押圧する態様にあるため、カバー部材１０ｂが壁面部１１ａから離れる方向に移動すると、踏み板部１４１ａも壁面部１１ａから離れる方向（第二の方向）に移動し、ベース部材１０ａとカバー部材１０ｂとの間に空間を形成するような位置（第二位置）に移動する。
この状態では、踏み板部１４１ａの回動に伴って変位部材１４２も回動して変位し、変位部材１４２が発光部１４３ａと受光部１４３ｂとの間から退避するため、受光部１４３ｂへ入光し、変位検知センサ１４３からはＯＮ状態（物体（メダル）検知：第二の状態）を示す検知信号が出力される。
【００６６】
既述したように、投入口側検知センサ１４（変位検知センサ１４３）は、ＯＦＦ状態からＯＮ状態へ遷移する検知信号を主制御部７へ出力すると、ＯＮ状態が所定期間以上継続した場合には、主制御部７によって異常と判断される。
したがって、こじ開けによる不正行為が行われた場合に、カバー部材１０ｂが開放した状態やカバー部材１０ｂが外れた状態になっても、投入口側検知センサ１４で異常を検知することができる。
これにより、こじ開けによる不正行為を阻止することができ、メダルセレクタ１０内部の基板等に不正な電気信号を送り込むような行為を有効に防止することができる。
【００６７】
また、投入口側検知センサ１４（変位検知センサ１４３）から出力したＯＮ状態を示す検知信号が所定期間以上継続した場合には、メダル詰まり又はカバー部材の開放のいずれが発生したかにかかわらず、主制御部７は、本発明における情報出力手段の一例として機能し、異常を示す所定の情報を出力する。
例えば、スロットマシン１において警報音を出力したり、液晶表面器にエラー表面をさせたりするなどして、異常が発生したことを報知する。なお、報知の方法は、これに限らず、遊技場管理装置や呼出ランプ等の周辺機器に出力することで異常を特定できるようにしても良い。
【００６８】
このように、投入口側検知センサ１４においてＯＮ状態が所定期間以上継続した場合には、メダル詰まりや不正器具の挿入により踏み板部１４１ａが第一の方向に変位した後に第二位置で滞在している状態、又は、カバー部材の開放により踏み板部１４１ａが第二の方向に変位した後に第二位置で滞在している状態にかかわらず、異常である旨が報知される。
これにより、可動部材１４１（踏み板部１４１ａ又は変位部材１４２）が、第一の方向又は第二の方向のいずれかに変位したことを検知するためのセンサをメダルセレクタ１０に別途設けて、この検知した方向にもとづいて報知を行うような構成を備えることなく、異常が発生したことを報知することができる。
【００６９】
このように、投入口側検知センサ１４は、可動部材１４１の第一の方向による変位によってメダルＭの通過を検出するだけでなく、可動部材１４１の第一の方向による変位と異なる第二の方向に変位することで、カバー部材１０ｂの開放を検出することができる。
そのため、一のセンサ（投入口側検知センサ１４）のみで、メダルＭの通過とカバー部材１０ｂの開放の両方の検出を行うことができるため、コストを削減することができる。
【００７０】
また、投入口側検知センサ１４でカバー部材１０ｂの開放を検知するため、カバー部材１０ｂがこじ開けられるのを阻止するための物理的な機構をメダルセレクタ１０に設ける必要がない。その結果、開放が阻止されている状態のカバー部材１０ｂが無理にこじ開けられて、カバー部材１０ｂ又はメダルセレクタ１０が損傷してしまうリスクを低下させることができる。
【００７１】
（ｅ）ガイド部材
ガイド部材２２は、メダル投入口２から投入された小径メダルをメダル流路１１から排除可能な部材である。
ガイド部材２２は、図２１に示すように、ブロッカー１３に対向する位置に配置されており、金属部材で形成された板状の可動部２２１と、この可動部２２１を移動可能な状態で固定するための固定部２２２から構成されている。
【００７２】
ガイド部材２２は、ベース部材１０ｂに次のように取り付けられる。
可動部２２１に形成された切欠き２２１ａに対して固定部２２２の裏面から突出する凸部２２２ａを挿入し、固定部２２２の表面側からネジ２３を螺着することによってガイド部材２２をベース部材１０ｂに取り付けることができる。
ガイド部材２２がベース部材１０ａに取り付けられた状態では、ブロッカー１３の上面からガイド部材２２（可動部２２１）の底面までの幅（図２１（ａ）の通過規定幅）が正規メダルの外径よりも若干小さくなるように設けられている。
【００７３】
また、ベース部材１０ａにガイド部材２２が取り付けられた状態では、ガイド部材２２の可動部２２１が、メダルＭの通過方向ＭＲに直交する方向（図２１（ｂ）の移動方向）に僅かに移動可能になっている。
具体的には、凸部２２２ａのうち移動方向に沿う方向の長さが、切欠き２２１ａの移動方向に沿う方向の幅よりも若干短く形成されているため、切欠き２２１ａ内に凸部２２２ａが挿入された状態では、凸部２２２ａは、切欠き２２１ａ内で移動方向に僅かに遊びがある状態になる。そのため、可動部２２１は、切欠き２２１ａと凸部２２２ａによって形成される僅かな隙間（図２１（ｂ）の可動領域Ｒ）の範囲内で移動することができる。
このような可動領域Ｒを有することにより、ガイド部材２２は次のように動作する。
【００７４】
図２１及び図２２を参照して、ガイド部材２２の動作について説明する。
正規メダルがガイド部材２２に到達した場合には、当該正規メダルの円形表面上部が可動部２２１の表面に当接した状態で正規メダルが転動するため、ガイド部材２２は、正規メダルを傾斜通路１１２の下流に向かって案内する。つまり、ガイド部材２２は、正規メダルが通過する場合は、既述の移動方向に移動しないようになっている。
【００７５】
小径メダルがガイド部材２２に到達した場合には、当該小径メダルの外形が通過規定幅よりも小さいときは、小径メダルはガイド部材２２の可動部２２１に接触せずに、自重により壁面部１１ａ側に形成された傾倒用凹部１１ｇ内に倒れてメダル流路１１から排除される。
一方、通過規定幅とほぼ同じ外径の小径メダルがガイド部材２２に到達した場合には、当該小径メダルの上部円周面が可動部２２１の底面に接触するため、自重により傾倒用凹部１１ｇ側へ傾倒しながらも傾斜通路１１２を下流に向かって転動してしまう、あるいは、ブロッカー１３とガイド部材２２との間に挟まって滞留してしまうことがある。
【００７６】
ところが、本実施形態のガイド部材２２は、図２２に示すように、当該小径メダルが傾倒用凹部１１ｇ側へ傾倒しながら上部円周面がガイド部材２２の底面に接触すると、押し上がるように移動するようになっている。
そして、このガイド部材２２が押し上がった分だけ小径メダルＭの上部円周面とガイド部材２２（可動部２２１）の底面との間に隙間が生じる（図２２（ｂ）参照）。これにより、小径メダルは可動部２２１に接触しなくなり、自重により傾倒用凹部１１ｇ内に倒れてメダル流路１１から排除される。
このように、ガイド部材２２は、正規メダルを通過可能な機能を備えるとともに、通過規定幅とほぼ同じ外径の小径メダルが、ブロッカー１３とガイド部材２２との間に挟まらないように動作して、小径メダルを排除する機能を備えている。これにより、メダル流路１１内でメダル詰まりが発生することを防止できるようになっている。
【００７７】
なお、ガイド部材２２をベース部材１０ａに取り付ける方法は、ガイド部材２２を僅かな隙間（可動領域Ｒ）の範囲内で押し上げるように移動可能であれば、特に限定されない。例えば、ネジ２３を若干緩めた状態で螺着して、ガイド部材２２をベース部材１０ａに取り付けることにより、ガイド部材２２を移動可能な構成としてもよい。
【００７８】
以上説明したように、本実施形態のスロットマシン１によれば、メダルセレクタ１０において、投入口側検知センサ１４が、可動部材１４１（踏み板部１４１ａ又は変位部材１４２）の第一の方向による変位を検出するだけでなく、可動部材１４１の第一の方向による変位と異なる第二の方向による変位も検出する。
これにより、一のセンサのみで、物体（メダルＭや不正器具）の検出と、こじ開け等によるカバー部材１０ｂが開放した状態の両方の検出を行うことができるので、可動部材１４１が変位した方向を検知するためのセンサを別途設ける必要がないため、コストを低減することができる。
【００７９】
一方、従来のスロットマシンでは、一のセンサ（投入口側検知センサ１４）において、物体（メダルや不正器具）の検出のみを行っていた。そのため、カバー部材の開放の検出は、別途、他のセンサを設けて検出を行う必要があった。このような場合、複数のセンサを設けることになるので、コストが高くなるとともに、設置するスペースも考慮する必要があった。
本実施形態のスロットマシン１によれば、従来のスロットマシンが改善すべきこのような課題の全部又は一部などを解決することができる。
【００８０】
以上、本発明の遊技機の好ましい実施形態について説明したが、本発明に係る遊技機は上述した実施形態にのみ限定されるものではなく、本発明の範囲で種々の変更実施が可能であることは言うまでもない。
例えば、上述した実施形態においては、メダルセレクタが備えられる遊技機の例としてスロットマシンを挙げたが、遊技機は、スロットマシンに限るものではなく、遊技媒体としてメダルを使用する遊技機、例えば、雀球やアレンジボールなどであってもよい。また、封入式の遊技機であってもよい。
【００８１】
また、上述した実施形態においては、メダル流路１１において上流側から投入検知センサ１５、出口センサ１７の順となる位置関係で配置した構成で説明したが、これに限らず、両方のセンサが既述した空間Ｇ内に収まるような位置関係であれば、上流側から出口センサ１７、投入検知センサ１５の順となる位置関係で配置してもよい。
また、投入検知センサ１５と出口センサ１７をそれぞれ１つずつ設けた構成としているが、これに限らず、投入検知センサ１５と出口センサ１７を任意の数で設けてもよい。例えば、投入検知センサ１５を１つ、出口センサ１７を２つ以上設けてもよく、又は、投入検知センサ１５を２つ以上、出口センサ１７を１つ設けてもよく、あるいは、投入検知センサ１５と出口センサ１７をそれぞれ２つ以上設けてもよい。
【００８２】
また、上述した実施形態においては、投入口側検知センサ１４のみで、メダルＭの通過とカバー部材１０ｂの開放の両方の検出を行う構成で説明したが、可動部材１４１（踏み板部１４１ａ又は変位部材１４２）が変位した方向を検知するセンサを設け、第一の方向と第二の方向を判別することでメダルＭの通過又はカバー部材１０ｂの開放を判断し、これに応じた報知を行うようにしてもよい。
【００８３】
また、リンク機構２１にメダルＭの逆流防止機能を備えてもよい。
例えば、第二部材２１３の先端部分をメダル出口１８に向かう方向に突出するような形状とすることで、何等かの理由でメダル出口１８の外側からメダルＭが逆流してメダル出口１８に進入してきたときは、この当該メダルＭの下部が第二部材２１３の先端部に接触し、それ以上の進入を阻止するような構造にしてもよい。
【００８４】
また、メダルセレクタ１０に備えられる投入検知センサ１５と、監視センサ１６の変位検知センサ１６２と、出口センサ１７の変位検知センサ１７２と、投入口側検知センサ１４の変位検知センサ１４３は、いずれもフォトセンサを用いることを想定しているが、フォトセンサに限るものではなく、近接センサ、静電容量センサなどを用いてもよい。
【００８５】
また、以上説明した内容から以下のような特徴を有する遊技機の発明を抽出することもできる。
【００８６】
（１）投入された遊技媒体を検出する遊技媒体検出部を備えた遊技機において、前記遊技媒体検出部は、前記投入された遊技媒体が通過する流路と、前記流路を通過する遊技媒体を検出するための検出手段と、を備え、前記検出手段は、前記流路を通過する遊技媒体の円周部の接触により移動する可動部材を備え、前記可動部材は、前記遊技媒体の通過方向に沿わない方向に移動することを特徴とする遊技機。
【００８７】
（２）前記流路は、前記流路を通過する遊技媒体の円周部に対向する端面部を有し、前記可動部材は、前記流路を通過する遊技媒体の円周部が接触していないときには、前記端面部から流路内に向けて突出した位置にあり、前記流路を通過する遊技媒体の円周部が接触することにより前記端面部に向かって移動することを特徴とする（１）に記載の遊技機。
【００８８】
（３）前記遊技媒体検出部は、前記検出手段よりも前記流路の上流側に、前記流路を通過する遊技媒体を検出する上流検出手段を備え、複数の遊技媒体が前後に連なって前記流路を通過する場合、先行する遊技媒体が前記上流検出手段と前記検出手段を通過した後に、後続の遊技媒体が前記上流検出手段で検出されるまでに前記可動部材が前記突出した位置に復帰可能に前記検出手段と前記上流検出手段を配置したことを特徴とする（２）に記載の遊技機。
【００８９】
（４）前記可動部材は、前記流路を通過する遊技媒体の円周部に接触する被接触部を備え、前記被接触部は、複数の遊技媒体が前後に連なって前記流路を通過する場合、先行する遊技媒体と後続する遊技媒体が互いに接した状態において、前記流路の端面部と先行する遊技媒体と後続する遊技媒体によって形成される空間に収まる外形を有することを特徴とする（２）又は（３）に記載の遊技機。
【００９０】
（５）前記遊技媒体検出部は、前記検出手段よりも前記流路の下流側に、前記可動部材の動作と連動するリンク機構を備え、前記リンク機構は、前記流路を通過する遊技媒体が前記検出手段を通過し終わるときに、前記可動部材が所定の初期状態に復帰するのを補助するように作動することを特徴とする（１）又は（４）のいずれかに記載の遊技機。
【符号の説明】
【００９１】
１        スロットマシン（遊技機）
７        主制御部（情報出力手段）
１０      メダルセレクタ（遊技媒体検出部）
１０ａ    ベース部材
１０ｂ    カバー部材
１１      メダル流路（流路）
１１ａ    壁面部
１１ｃ    端面部
１４      投入口側検知センサ（検出手段）
１４１    可動部材
１４１ａ  踏み板部
１５      投入検知センサ
１６      監視センサ
１７      出口センサ（検出手段）
１７１    可動部材
１７１ａ  被接触部
２１      リンク機構
２２      ガイド部材
Ｇ        空間
Ｍ        メダル
ＭＲ      メダルの通過方向
【図１】
0006586626.tif 000002
【図２】
0006586626.tif 000003
【図３】
0006586626.tif 000004
【図４】
0006586626.tif 000005
【図５】
0006586626.tif 000006
【図６】
0006586626.tif 000007
【図７】
0006586626.tif 000008
【図８】
0006586626.tif 000009
【図９】
0006586626.tif 000010
【図１０】
0006586626.tif 000011
【図１１】
0006586626.tif 000012
【図１２】
0006586626.tif 000013
【図１３】
0006586626.tif 000014
【図１４】
0006586626.tif 000015
【図１５】
0006586626.tif 000016
【図１６】
0006586626.tif 000017
【図１７】
0006586626.tif 000018
【図１８】
0006586626.tif 000019
【図１９】
0006586626.tif 000020
【図２０】
0006586626.tif 000021
【図２１】
0006586626.tif 000022
【図２２】
0006586626.tif 000023